(57)【要約】壁に固定可能な側部(２)と側部(２)に対して回転可能でドアに固定可能なヒンジ部(３)と側部(２)に配置されてハウジング(１１)とピストンロッド(１２)を有する線形ダンパ(１０)を有して、側部(２)とヒンジ部(３)に２つのレバー(４、５)が配備され、各レバーは側部(３)とヒンジ部(３)に回転可能に取り付けられる、ヒンジ(１)に関し、制御カーブ(４５)が１つのレバー(４)上に形成され、閉じ動作中に制御カーブ(４５)は閉じ位置に達する直前に線形ダンパ(１０)を圧縮し、開き動作中に制御カーブは最大の開き位置に達する前に線形ダンパ(１０)を圧縮する。【選択図】図４
2020525680.tif 000002
【特許請求の範囲】
【請求項１】
壁に固定可能な側部(２)と、側部(２)に対して回転可能でドアに固定可能なヒンジ部(３)と、側部(２)に配置されてハウジング(１１)とピストンロッド(１２)を有する線形ダンパ(１０)を有して、側部(２)とヒンジ部(３)に回転可能に取り付けられた２つのレバー(４、５)が側部(２)とヒンジ部(３)の間に配備されたヒンジ(１)において、
制御カーブ(４５)が１つのレバー(４)上に形成され、閉じ動作中に制御カーブは線形ダンパ(１０)を圧縮し、線形ダンパのハウジング(１１)は側部(２)に移動不能に固定され、ピストンロッド(１２)は制御カーブ(４５)により移動可能である、ヒンジ(１)。
【請求項２】
壁に固定可能な側部(２)と、側部(２)に対して回転可能でドアに固定可能なヒンジ部(３)と、側部(２)に配置されてハウジング(１１)とピストンロッド(１２)を有する線形ダンパ(１０)を有して、側部(２)とヒンジ部(３)に回転可能に取り付けられた２つのレバー(４、５)が側部(２)とヒンジ部(３)の間に配備されたヒンジ(１)において、
制御カーブ(４５)が１つのレバー(４)上に形成され、閉じ動作中に制御カーブは閉じ位置に達する前に線形ダンパ(１０)を圧縮し、開き動作中に制御カーブは最大の開き位置に達する前に線形ダンパ(１０)を圧縮し、線形ダンパのハウジング(１１)は側部(２)に移動不能に固定され、ピストンロッド(１２)は制御カーブ(４５)により移動可能である、ヒンジ(１)。
【請求項３】
線形ダンパ(１０)は、閉じ位置から３０°から１１０°、好ましくは３５°から１１０°の角度範囲にて長手方向の最大延びを有する、請求項１又は２に記載のヒンジ。
【請求項４】
線形ダンパ(１０)は、ホルダ(１５)を介して側部(２)に固定される、請求項１乃至３の何れかに記載のヒンジ。
【請求項５】
線形ダンパ(１０)のハウジング(１１)は、回転可能な方法で側部(２)に取り付けられる、請求項１乃至４の何れかに記載のヒンジ。
【請求項６】
制御カーブ(４５)はレバー(４)に一体に形成される、請求項１乃至５の何れかに記載のヒンジ。
【請求項７】
制御カーブ(４５)は、少なくとも１つの湾曲したウェブ(４４)に形成され、線形ダンパ(１０)に作動可能に接続されたピン(１４)に沿ってスライドする、請求項１乃至６の何れかに記載のヒンジ。
【請求項８】
ピン(１４)はホルダ(１５)又は側部(２)に線形にガイドされる、請求項７に記載のヒンジ。
【請求項９】
レバー(４)は、Ｕ字形に形成されて、ピン(１４)が押圧する２つの制御カーブ(４５)を備える、請求項７又は８に記載のヒンジ。
【請求項１０】
制御カーブ(４５)はＵ字形のレバー(４)に形成され、該レバーはヒンジ部(３)の少なくとも１つの位置にて他のレバー(５)に重なる、請求項１乃至９の何れかに記載のヒンジ。
【請求項１１】
線形ダンパ(１０)のカップ形のハウジング(１１)が挿入されるホルダ(１５)が側部(２)に固定される、請求項１乃至１０の何れかに記載のヒンジ。
【請求項１２】
線形ダンパ(１０)のカップ形のハウジング(１１)が形成されるホルダ(１５)が側部(２)に固定される、請求項１乃至１０の何れかに記載のヒンジ。
【請求項１３】
側部(２)は設置プレート(３０)及び保持要素(３１)上に調整可能に保持され、支持調整ユニット(５０)及び深さ調整ユニット(４０)が配備された、請求項１乃至１２の何れかに記載のヒンジ。
【請求項１４】
ヒンジ部(３)を閉じ領域内の閉じ方向に予め張力をかけるためにばね(６０)が設けられている、請求項１乃至１３の何れかに記載のヒンジ。
【請求項１５】
線形ダンパ(１０)は、ピストンロッド(１２)を備え、該ピストンロッドにばね(７５)が間接的又は直接的に付加されて、ピストンロッドが自動的に延びる、請求項１乃至１４の何れかに記載のヒンジ。
【請求項１６】
ピストンロッド(１２)は、開閉動作中に制御カーブ(４５)によって固定されたダンパハウジング(１１)の方向に間接的又は直接押圧される、請求項１５に記載のヒンジ。
【請求項１７】
ピストンロッド(１２)のストローク動作は、好ましくは２ｍｍから６ｍｍ、特に３ｍｍから５ｍｍの範囲である、請求項１５に記載のヒンジ。
【請求項１８】
ホルダ(１５)は、レバー(４、５)の少なくとも１つの軸(８、９)によって、好ましくは両方の軸(８、９)を使用して、側部(２)上に保持される、請求項１１又は１２に記載のヒンジ。
【請求項１９】
ホルダ(１５)は、レバー(４)と支持調整ユニット(５０)の間に線形ダンパ(１０)とともに配置される、請求項１３に記載のヒンジ。
【請求項２０】
請求項１乃至１９の何れかに記載のヒンジ(１)を開閉する方法において、
線形ダンパ(１０)は最大開き位置までの開き動作中に、長手方向の最大の延びを経るステップと、
線形ダンパ(１０)は最大開き位置から閉じ位置への閉じ動作中にも、長手方向の最大の延びを経るステップを含む、方法。
【発明の詳細な説明】
【技術分野】
【０００１】
本発明は、壁に固定可能な側部と側部に対して回転可能でドアに固定可能なヒンジ部と側部に配置されてハウジングとピストンロッドを有する線形ダンパを有して、側部とヒンジ部に２つのレバーが配備され、各レバーは側部とヒンジ部に回転可能に取り付けられる、ヒンジに関する。
【背景技術】
【０００２】
ドイツ実用新案公報2020006003196号は、ヒンジ部が支持レバーとガイドレバーを介して側部に回転可能に取り付けられる家具ヒンジを開示している。片持ちレバーがガイドレバー上に形成され、片持ちレバー上に、ハウジングと、ハウジングに対して変位可能なピストンロッドとを有する線形ダンパが回転可能に取り付けられている。そのような線形ダンパは、閉じ動作の減衰に適しているが、線形ダンパの回転により、側部において必要な設置スペースが大きいとの問題が生じている。
【０００３】
従って、本発明の目的は、最適な減衰動作を行い、小さな設置スペースを有するヒンジを提供することである。
この目的は、請求項１又は２の特徴を有するヒンジ、及び請求項１９の特徴を有する方法によって達成される。
【発明の概要】
【０００４】
本発明に従ったヒンジにおいて、１つのレバー上に制御カーブが形成され、閉じ動作中に制御カーブは線形ダンパを圧縮し、線形ダンパのハウジングは側部に移動不能に固定され、ピストンロッドは制御カーブにより移動可能である。従って、ハウジングが動かないように固定され、ヒンジ部分の回転中にピストンロッドのみが移動するため、特にコンパクトな構造が得られる。
【０００５】
本発明に従った更なるヒンジにおいて、ヒンジ部を回転させるために制御カーブが１つのレバー上に形成され、閉じ動作中に制御カーブは閉じ位置に達する直前に線形ダンパを圧縮し、開き動作中に制御カーブは最大の開き位置に達する直前に線形ダンパを圧縮する。そのような制御カーブの使用により、線形ダンパの減衰挙動は、開閉挙動に最適に適合させることができ、開き又は閉じ動作中の減衰力のレベルは、制御カーブの輪郭によって自由に選択することができる。閉じ動作中に発生する減衰力は、開き動作中よりも大幅に大きいと具体化され得て、付随的に同じ力又はより大きな力で開口部の減衰を行うこともできる。更にヒンジはコンパクトに構成され得る、何故なら線形ダンパは側面に配置されており、レバーの制御カーブを介して影響を受けるからである。
【０００６】
線形ダンパは、閉じ位置の前の３０°から１１０°、好ましくは３５°から８０°の角度範囲で長手方向に最大に延びているのが好ましい。この場合、閉じ位置は、ドアがヒンジの上に固定されたときにヒンジによって事前に決定された位置であり、ドアは閉じた位置にある。ドアの開き時に、ヒンジ部は、ドア及び/又はヒンジ部の最大開き位置まで、側部に対して回転する。最大開き位置は例えば９０°と１８０°の間であり、特に１０５°と１４０°の間である。
【０００７】
線形ダンパの安定した固定のために、線形ダンパはホルダを介して側部に固定されるのが好ましい。線形ダンパのハウジングは、この場合、特にホルダ内で、側部に回転可能に固定され得る。この目的から、ホルダは、ダンパのカップ形状のハウジングが挿入される開口部を含み得る。この場合、ホルダはヒンジの２つの軸に固定され、該軸は何れの場合もレバーを固定するために配備され、ホルダを固定するために追加の要素は不要である。
【０００８】
代替の実施形態において、ダンパのハウジング及びホルダは、例えば、プラスチック製の射出成形部品として一体的に具体化することができ、そのため、ダンパのハウジングは側部に直接固定される。
更なる実施形態において、制御カーブが少なくとも１つの湾曲したウェブに形成されて、制御カーブに沿ってピンがスライドし、線形ダンパを作用させる。従って、ピンは線形ダンパと制御カーブの間に配置される。この場合、ピストンロッドに横方向の力がかからないように、ピンはホルダ又は側部上で直線的にガイドされる。ピンを適切にガイドするために、レバーはＵ字型に形成され、ピンが押圧する２つの制御カーブが形成される。
制御カーブは、ヒンジ部の回転軸に対して外側に配置されるレバーに形成されることが好ましい。従って、制御カーブを簡単な方法で形成することができ、これにより、中間開き角度の範囲で線形ダンパの長手方向の最大の延びが可能になる。
【０００９】
ヒンジ部上にドアを最適に設定及び配置すべく、側部は設置プレート及び保持要素上で調整可能に保持されるのが好ましく、支持調整ユニット及び深さ調整ユニットは、さら側部に設けられるのが好ましい。更に、閉じ領域にてヒンジ部に予め張力をかけるために閉じばねが設けられて、ヒンジ部に保持されたドアの信頼性のある閉鎖を確実にするのが好ましい。ドアを閉じる際に、ダンパの減衰効果が始まる前に、閉じ力を生成するようにばねが構成され得る。更に、ダンパの延び位置でピストンロッドに予め張力をかけるべく、更なるばねが設けられる。閉じばねはピストンロッドのばねに対して閉じ減衰段階で作用し、ピストンロッドの延びを可能にするばねは、閉じ手順中に張力がかけられる。
【００１０】
本発明に従った方法において、線形ダンパは、最大開き位置までの開き動作中に長手方向の最大の延びを経験し、閉じ動作中も最大の延びを通過する。従って、ダンパは開き方向と閉じ方向の両方で減衰力を提供することができ、線形ダンパはアイドルストローク範囲で圧縮されるため、付随的に開き方向に減衰力は提供されない。閉じ方向では、いずれの場合でも、閉じ位置に到達する前に、ヒンジ部の閉じ動作の減衰が実行される。
【図面の簡単な説明】
【００１１】
本発明は添付の図面を参照して代表的な実施形態を基にして以下に詳細に説明される。
【図１】本発明に従ったヒンジの分解斜視図である。
【図２】閉じ位置における図１のヒンジの破断側面図である。
【図３】中間開き位置における図２のヒンジの図である。
【図４】中間開き位置における図２のヒンジの図である。
【図５】最大開き位置における図２のヒンジの図である。
【図６】ヒンジ部の開き位置に対するダンパの長手方向の延びを示すグラフである。
【図７】設置位置における図１のヒンジを部分的に破断した斜視図である。
【図８Ａ】図７のヒンジの断面図である。
【図８Ｂ】図７のヒンジの断面図である。
【図９Ａ】ヒンジのピストンロッドの端部領域における断面図である。
【図９Ｂ】ヒンジのピストンロッドの端部領域における断面図である。
【図１０Ａ】ヒンジの修正された例示的な実施形態の図である。
【図１０Ｂ】ヒンジの修正された例示的な実施形態の図である。
【発明を実施するための形態】
【００１２】
特に家具又は家庭用器具用のヒンジ１は、家具本体の側壁又は別の壁に固定可能な側部２を備える。ヒンジ部３は、側部２に回転可能に取り付けられ、ヒンジ部３には、ヒンジ１を介して閉じ位置から開き位置に回動可能なドアが固定される。この目的のために、側部２とヒンジ部３との間に２つのレバー４及び５が設けられている。レバー４はＵ字形に形成されており、レバー４は横方向ウェブ４４を備えている。この場合、レバー４は、ウェブ４４上に開口部４７を備え、該開口部４７から軸６が挿入されてヒンジ部３にレバー４を回転可能に取り付ける。さらに、離間した軸７も軸６と一体に形成され、軸６はレバー５の眼部５６を通して挿入されてレバー５をヒンジ部３に回転可能に取り付ける。レバー５は、複数の個々の平らな部品から構成することもでき、その結果、レバー５は、互いに重ねたときに軸７及び軸９に対応する穴を有することになる。
【００１３】
Ｕ字形に形成され、２つの脚部２０及び接続ウェブ２１を含む側部２は、脚部２０に開口部２２を有し、開口部２２を通って軸８が挿入されて、レバー４を側部２に回転可能に取り付ける。さらに、脚部２０には開口部２３が形成されており、開口部２３を通してレバー５を側部２に回転可能に取り付けるために軸９が挿入される。
【００１４】
ヒンジ部３の減衰動作を減衰すべく、線形ダンパ１０が設けられ、該線形ダンパ１０はカップ状のハウジング１１と、ハウジング１１に対して移動可能なピストンロッド１２とを備える。ピストン１３は、ピストンロッド１２に固定され、ハウジング１１に対するピストン１３の移動中に減衰力を生成する。線形ダンパ１０はコンパクトな構造を有し、ピストンロッド１２のストローク運動は、好ましくは２ｍｍから６ｍｍの範囲、特に３ｍｍから５ｍｍの範囲が好ましい。
【００１５】
線形ダンパ１０は、側部２上に配置されたホルダ１５上に固定される。ホルダ１５はＵ字形に形成されて、接続部分に開口部１９を備えて、開口部１９内にハウジング１１の半径方向外側に突出する縁部がホルダ１５に押圧されるまで、線形ダンパのハウジング１１が挿入される。この場合、ホルダには２つのタブ２９が形成されており、これらのタブは、ハウジング１１がピストンロッド１２の長手方向に移動することを制限する。ホルダ１５は、開口部１７及び１８を備え、該開口部には側部２に挿入される軸８及び９が貫通する。ホルダ１５及び線形ダンパ１０は、側部２に回転可能に固定された状態で保持される。ホルダ１５は更に、ピン１４を案内するために使用される長孔１６を含む。ピン１４は、ピストンロッド１２の前端部を押して、線形ダンパ１０を圧縮する。ピン１４はまた、ピストンロッド１２に固定して接続することができ、その結果、ピストンロッド１２を長孔１６内に案内するための一種のハンマーヘッドがピストンロッド１２に形成される。更に、線形ダンパ１０には、ピストンロッド１２を突出位置に予め張力をかけるためのばねが設けられている。ピン１４は、この例示的な実施形態では円形として具体化されている。ピン１４は、他の基本的形状、例えば長方形又は楕円形を有することもできる。長孔１６内のガイドの接触面及び/又はピストンロッド１２の接触又は固定面としての接触面をピン１４に設けることができる。
【００１６】
側部２は付随的に、本体の側壁に直接固定することができる。しかし、示された実施形態において、設置プレート３０が側壁に固定され、その上に保持要素３１が保持され、その上に側部２が調節可能に保持される。保持要素３１は、支持調整ユニット５０用のスロット付き開口部３６と、深さ調整ユニット４０用の開口部３５とを備える。深さ調整ユニット４０は、側部２の開口２４を通って案内され、開口部３５に係合する偏心ピン４１を有する。支持調整ユニット５０は、保持要素３１の開口部３６に組み込まれた案内溝５１と、ねじ付き孔２５によって側部２に係合されるねじ５２とを有する。
【００１７】
保持要素３１はさらに、キャッチ要素３４を介して設置プレート３０にラッチされ、キャッチ要素３４は軸３２を介して保持要素３１に回転可能に取り付けられ、さらにばね３３を介して予め張力がかけられている。
ヒンジ１は更にばね６０を備え、ばね６０は脚部ばねとして形成され、レバー４に支持された第１のばねアーム６１を備える。第２の対向するばねアーム６２がレバー５に支持されており、この目的のために受け部６３がレバー５上のウェブ５５に形成されている。或いは、従来技術で知られている他の閉じばね装置も使用され得る。例えば、リーフばねを有する構成も使用され得る。
【００１８】
図２ではヒンジ１は組立て位置にて示され、ヒンジ部３は閉じ位置に位置している。ヒンジ部３が図３に示すように開き位置に回転すれば、レバー４及びレバー５も回転する。レバー４が回転することにより、制御カーブ４５は軸８を中心に回転し、それによりピン１４は制御カーブ４５に沿ってスライドする。開き方向への動作中に、線形ダンパ１０の長手方向の延びが増加し、ピストンロッド１２がハウジング１１から延びる。
【００１９】
図４に４０°と６５°の間の角度範囲で、中間開き位置が示され、線形ダンパは最大の長手方向の延びを経る。ピン１４は受け部内にて制御カーブ４５を押し、ピストンロッド１２は最大限に延びた位置にある。ヒンジ部３が更に開く方向に移動すると、レバー４は再び反対方向に回転し、ピン１４は再び制御カーブ４５に沿ってスライドして戻る。従って、図５に示す位置に到達するまで、ピストンロッド１２を引っ込めることにより、線形ダンパは再びわずかに圧縮される。この位置で、レバー４がそのウェブ４４でレバー５とどのように重なるかが判る。最大の開き位置において、線形ダンパはまた閉じ位置よりも大幅に長い長手方向の延びがある。他の制御カーブ４５も、例えば最大の開き位置で線形ダンパを制御するために使用され得て、また、特に最大の開き位置に到達する少し前により強力な開き減衰を実施する場合、線形ダンパ１０はより強く引き込められる。制御カーブは、ピストンロッドが最大に開いた位置に引き込まれるように構成することもできるが、ダンパの長手方向の最大の延びからヒンジロッド３の最大開き位置までの角度範囲にわたるピストンロッドのストロークは非常に小さく、及び/又はピストンロッド１２のストローク動作は非常に遅く、減衰効果は殆ど生じない。何れの場合でも、線形ダンパは、ヒンジ部３の開き動作中に長手方向の最大の延びを通過する。閉じ方向において、ヒンジ部３は図５に示す位置から出て図２に示す位置に戻り、線形ダンパはまた長手方向の最大の延びを通過し、閉じ位置に達する前に強く圧縮され、必要な減衰力が得られる。制御カーブ４５とピストンロッド１２の間のピン１４の相互接続により、横方向の力は回避される、何故ならピン１４はホルダ１５の長孔１６上で直線的に案内されるからである。
【００２０】
図６に表が示され、ヒンジ部３の開き角度に対するピストンロッドの位置が示される。閉じ位置において、ピストンロッド１２は引込み位置にあり、開き動作中、線形ダンパの長手方向の最大の延びは、５０°と７５°の間の角度範囲にある。ヒンジ部３が大凡１０５°の最大開き位置に達すると、線形ダンパは再び少し圧縮され、最大に開いた位置までの回転動作中に、ヒンジ部３に作用する減衰力は小さいか、全くない。ヒンジ部３が閉じ方向に移動すると、ヒンジ部３を減速させるべく、減衰力が閉じ位置の前にて２５°から４０°の角度で作用し始める。しかし、ヒンジ部３は、ばね６０を介して自動的に閉じ位置に移動する。
【００２１】
ヒンジ１は、図７の設置位置に再び示され、線形ダンパのハウジング１１は側部２に収容され、小さな構造容積のみを占めることが判る。この場合、ハウジング１１は、支持調整ユニット５０と軸８、９との間に配置される。ピストンロッド１２の長手方向における線形ダンパの延びは、好ましくは２０ｍｍ未満、特に１８ｍｍ未満である。この小さな延びもかかわらず、十分に高い減衰力が提供される。
【００２２】
ピストンロッド１２を動かす駆動機構が、図８Ａ及び図８Ｂに示される。ピストンロッド１２は、ピン１４によって駆動され、ピン１４は、ピストンロッド１２の端面を押し、ピストンロッド１２に対して垂直に配列される。この場合、ピン１４はホルダ１５の長孔１６に案内され、ピストンロッド１２をカップ形状のハウジング１１に押し込んで減衰力を発生させることができる。ばね７５はベース上のハウジング１１に支持されて、ばねはピストンロッド１２に接続されたピストンに予め張力をかけて、ピストンロッド１２を延び位置に移動させる。ピストンにスロットル要素を設けて、ハウジング１１への後退運動を妨げ、ピストンロッドの引き抜きを容易にして減衰効果は一方向でのみ生じる。長孔１６に沿ったピン１４のガイドはまた、図９Ａ及び図９Ｂにも示される。
【００２３】
修正されたヒンジ１’が図１０Ａ及び図１０Ｂに示され、ヒンジ１'は折り曲げられて形成され、この目的のために側部２'を備え、側部２'は前の例示的な実施形態のように、設置プレート３０及び保持要素３１上の第１の部分を使用して保持される。側部２'の第２の部分は階段状に形成され、支持調整ユニット５０及び深さ調整ユニット４０を越えて突出する壁部２１’を含む。ヒンジ部３が回転可能に保持される２つのレバー４、５はこの壁部２１’に固定される。この場合、また、線形ダンパは、側部２’の壁部２１’にハウジング１１を有するように配置される。線形ダンパ１０とレバー４、５からなる完全なユニットは、側部２'の形状ごとに線形ダンパと駆動機構を変更する必要なく、全く形状の異なる側部２'に使用され得ることが判る。従って、線形ダンパ１０及びヒンジ部３を備えたレバー４、５からなるユニットは、異なるヒンジタイプに使用することができる。
【符号の説明】
【００２４】
１、１’    ヒンジ
２、２’    側部
３    ヒンジ部
４    レバー
５    レバー
６    軸
７    軸
８    軸
９    軸
１０  線形ダンパ
１１  ハウジング
１２  ピストンロッド
１３  ピストン
１４  ピン
１５  ホルダ
１６  長孔
１７  開口部
１８  開口部
１９  開口部
２０  脚部
２１  接続ウェブ
２１’壁部
２２  開口部
２３  開口部
２４  開口(aperture)
２５  ねじ付き孔
２８  段部
２９  タブ
３０  設置プレート
３１  保持要素
３２  軸
３３  ばね
３４  キャッチ要素
３５  開口部
３６  開口部
４０  深さ調整ユニット
４１  ピン
４４  ウェブ
４５  制御カーブ
４７  開口部
５０  支持調整ユニット
５１  ガイド溝
５２  ねじ
５５  ウェブ
５６  眼部
６０  ばね
６１  ばねアーム
６２  ばねアーム
６３  受け部
７５  ばね
【図１】
2020525680.tif 000003
【図２】
2020525680.tif 000004
【図３】
2020525680.tif 000005
【図４】
2020525680.tif 000006
【図５】
2020525680.tif 000007
【図６】
2020525680.tif 000008
【図７】
2020525680.tif 000009
【図８Ａ】
2020525680.tif 000010
【図８Ｂ】
2020525680.tif 000011
【図９Ａ】
2020525680.tif 000012
【図９Ｂ】
2020525680.tif 000013
【図１０Ａ】
2020525680.tif 000014
【図１０Ｂ】
2020525680.tif 000015
【国際調査報告】
2020525680.tif 000016
2020525680.tif 000017
2020525680.tif 000018
2020525680.tif 000019
2020525680.tif 000020